(57)【特許請求の範囲】
【請求項１】
カスタマイズ可能な操作画面を表示装置に表示させる表示手段と、
前記操作画面において設定可能な機能の識別情報と前記操作画面における表示部品との関連付け情報を管理する関連付け管理手段と、
機能の識別情報の入力に応じ、入力された識別情報に関連付けられている表示部品を前記関連付け情報に基づいて判定し、当該表示部品を前記操作画面上において識別可能とさせる操作補助手段とを有し、
前記操作補助手段は、入力された識別情報に関連付けられている表示部品の表示態様を、カスタマイズ前の操作画面において当該識別情報に関連付けられている表示部品の表示態様に変更させることを特徴とする情報処理装置。
【請求項２】
前記機能の識別情報は、前記操作画面の操作方法を説明する文書に記載されていることを特徴とする請求項１記載の情報処理装置。
【請求項３】
前記操作補助手段は、入力された識別情報に関連付けられている表示部品を選択された状態とすることを特徴とする請求項１又は２記載の情報処理装置。
【請求項４】
前記関連付け管理手段は、同一の前記識別情報に関連付けられている複数の表示部品に関して、当該表示部品間の操作順序を示す情報を管理し、
前記操作補助手段は、入力された識別情報に複数の表示部品が関連付けられている場合には、当該複数の表示部品に関して前記関連付け管理手段が管理する前記操作順序を示す情報を前記操作画面に表示させることを特徴とする請求項１乃至３いずれか一項記載の情報処理装置。
【請求項５】
利用者が利用権限を有するか確認する確認手段を有し、
利用者に利用権限がない場合は前記機能の識別情報が入力されても当該機能が利用できない旨のメッセージを表示することを特徴とする請求項１乃至４いずれか一項記載の情報処理装置。
【請求項６】
カスタマイズ可能な操作画面を表示装置に表示させる表示手段と、
前記操作画面において設定可能な機能の識別情報と前記操作画面における表示部品との関連付け情報を管理する関連付け管理手段と、
機能の識別情報の入力に応じ、入力された識別情報に関連付けられている表示部品を前記関連付け情報に基づいて判定し、当該表示部品を前記操作画面上において識別可能とさせる操作補助手段とを有し、
前記関連付け管理手段は、同一の前記識別情報に関連付けられている複数の表示部品に関して、当該表示部品間の操作順序を示す情報を管理し、
前記操作補助手段は、入力された識別情報に複数の表示部品が関連付けられている場合には、当該複数の表示部品に関して前記関連付け管理手段が管理する前記操作順序を示す情報を前記操作画面に表示させることを特徴とする情報処理装置。
【請求項７】
コンピュータが実行する情報処理方法であって、
カスタマイズ可能な操作画面を表示装置に表示させる表示手順と、
機能の識別情報の入力に応じ、前記操作画面において設定可能な機能の識別情報と前記操作画面における表示部品との関連付け情報が記録された記憶手段を用いて、入力された識別情報に関連付けられている表示部品を判定し、当該表示部品を前記操作画面上において識別可能とさせる操作補助手順とを有し、
前記操作補助手順は、入力された識別情報に関連付けられている表示部品の表示態様を、カスタマイズ前の操作画面において当該識別情報に関連付けられている表示部品の表示態様に変更させることを特徴とする情報処理方法。
【請求項８】
前記機能の識別情報は、前記操作画面の操作方法を説明する文書に記載されていることを特徴とする請求項７記載の情報処理方法。
【請求項９】
前記操作補助手順は、入力された識別情報に関連付けられている表示部品を選択された状態とすることを特徴とする請求項７又は８記載の情報処理方法。
【請求項１０】
前記記憶手段には、同一の前記識別情報に関連付けられている複数の表示部品に関して、当該表示部品間の操作順序を示す情報が記録され、
前記操作補助手順は、入力された識別情報に複数の表示部品が関連付けられている場合には、当該複数の表示部品に関して前記記憶手段に記録されている前記操作順序を示す情報を前記操作画面に表示させることを特徴とする請求項７乃至９いずれか一項記載の情報処理方法。
【請求項１１】
利用者が利用権限を有するか確認する確認手順を有し、
利用者に利用権限がない場合は前記機能の識別情報が入力されても当該機能が利用できない旨のメッセージを表示することを特徴とする請求項７乃至１０いずれか一項記載の情報処理方法。
【請求項１２】
コンピュータが実行する情報処理方法であって、
カスタマイズ可能な操作画面を表示装置に表示させる表示手順と、
機能の識別情報の入力に応じ、前記操作画面において設定可能な機能の識別情報と前記操作画面における表示部品との関連付け情報が記録された記憶手段を用いて、入力された識別情報に関連付けられている表示部品を判定し、当該表示部品を前記操作画面上において識別可能とさせる操作補助手順とを有し、
前記記憶手段には、同一の前記識別情報に関連付けられている複数の表示部品に関して、当該表示部品間の操作順序を示す情報が記録され、
前記操作補助手順は、入力された識別情報に複数の表示部品が関連付けられている場合には、当該複数の表示部品に関して前記記憶手段に記録されている前記操作順序を示す情報を前記操作画面に表示させることを特徴とする情報処理方法。
【請求項１３】
請求項７乃至１２いずれか一項記載の情報処理方法をコンピュータに実行させるためのプログラム。
【発明の詳細な説明】
【技術分野】
【０００１】
本発明は、情報処理装置、情報処理方法及びプログラムに関し、特にカスタマイズ可能な操作画面を表示させる情報処理装置、情報処理方法及びプログラムに関する。
【背景技術】
【０００２】
近年の画像形成装置、特に、プリンタ、コピー、スキャナ、又は、ファクス等の複数の機能を一台の筐体において実現する複合機においては、タッチパネル式のオペレーションパネルが備えられており、比較的表現豊かな操作画面の表示が可能となっている。斯かる操作画面について、ユーザに応じた利便性の向上等を目的として、従来、ユーザの利用形態又は組織形態等に合わせてカスタマイズが可能とされている（例えば、特許文献１）。
【０００３】
他方において、操作に習熟していないユーザ等は、マニュアルを参照しながら操作画面の操作手順を確認し、操作を行うのが一般的である。特に、画像形成装置の高機能化に伴って操作が複雑化していく傾向にある中、マニュアルの重要性は高まっていくものと考えられる。
【特許文献１】特開２００７−２４９８６３号公報
【発明の開示】
【発明が解決しようとする課題】
【０００４】
しかしながら、従来のマニュアルは、標準の（カスタマイズされていない）操作画面を使うための手引書として利用されることを想定しているため、標準の操作画面や警告画面の写真等に基づいて説明が記載されている。したがって、カスタマイズ画面を利用するユーザは、所望の機能を設定するための操作を、標準の操作画面に基づいたマニュアルからは直接的に把握することはできず、当該マニュアルを活用することはできない。
【０００５】
したがって、カスタマイズされた操作画面用のマニュアルを改めて作成しなければならず、また、更にカスタマイズが行われた場合は、マニュアルの改訂を繰り返さなければならないという問題があった。
【０００６】
本発明は、上記の点に鑑みてなされたものであって、カスタマイズ可能な操作画面の操作を適切に補助することのできる情報処理装置、情報処理方法及びプログラムの提供を目的とする。
【課題を解決するための手段】
【０００７】
そこで上記課題を解決するため、本発明は、カスタマイズ可能な操作画面を表示装置に表示させる表示手段と、前記操作画面において設定可能な機能の識別情報と前記操作画面における表示部品との関連付け情報を管理する関連付け管理手段と、機能の識別情報の入力に応じ、入力された識別情報に関連付けられている表示部品を前記関連付け情報に基づいて判定し、当該表示部品を前記操作画面上において識別可能とさせる操作補助手段とを有することを特徴とする。
【０００８】
このような情報処理装置では、カスタマイズ可能な操作画面の操作を適切に補助することができる。
【発明の効果】
【０００９】
本発明によれば、カスタマイズ可能な操作画面の操作を適切に補助することのできる情報処理装置、情報処理方法及びプログラムを提供することができる。
【発明を実施するための最良の形態】
【００１０】
以下、図面に基づいて本発明の実施の形態を説明する。本実施の形態では、情報処理装置の具体例として画像形成装置を用いて説明する。図１は、本発明の実施の形態における画像形成装置のハードウェア構成の一例を示す図である。図１では、画像形成装置の具体例として、プリンタ、コピー、スキャナ、又は、ファクス等の複数の機能を一台の筐体において実現する複合機１のハードウェア構成が示されている。
【００１１】
複合機１のハードウェアとしては、コントローラ２０１と、オペレーションパネル２０２と、ファクシミリコントロールユニット（ＦＣＵ）２０３と、撮像部２０４と、印刷部２０５とが存在する。
【００１２】
コントローラ２０１は、ＣＰＵ２１１、ＡＳＩＣ２１２、ＮＢ２２１、ＳＢ２２２、ＭＥＭ−Ｐ２３１、ＭＥＭ−Ｃ２３２、ＨＤＤ（ハードディスクドライブ）２３３、メモリカードスロット２３４、ＮＩＣ（ネットワークインタフェースコントローラ）２４１、ＵＳＢデバイス２４２、ＩＥＥＥ１３９４デバイス２４３、セントロニクスデバイス２４４により構成される。
【００１３】
ＣＰＵ２１１は、種々の情報処理用のＩＣである。ＡＳＩＣ２１２は、種々の画像処理用のＩＣである。ＮＢ２２１は、コントローラ２０１のノースブリッジである。ＳＢ２２２は、コントローラ２０１のサウスブリッジである。ＭＥＭ−Ｐ２３１は、複合機１のシステムメモリである。ＭＥＭ−Ｃ２３２は、複合機１のローカルメモリである。ＨＤＤ２３３は、複合機１のストレージである。メモリカードスロット２３４は、メモリカード２３５をセットするためのスロットである。ＮＩＣ２４１は、ＭＡＣアドレスによるネットワーク通信用のコントローラである。ＵＳＢデバイス２４２は、ＵＳＢ規格の接続端子を提供するためのデバイスである。ＩＥＥＥ１３９４デバイス２４３は、ＩＥＥＥ１３９４規格の接続端子を提供するためのデバイスである。セントロニクスデバイス２４４は、セントロニクス仕様の接続端子を提供するためのデバイスである。
【００１４】
撮像部１２１は、読取原稿から画像（画像データ）を読み取るためのハードウェアである。印刷部１２２は、画像（画像データ）を印刷用紙に印刷するためのハードウェアである。
【００１５】
オペレーションパネル２０２は、オペレータが複合機１に入力を行うためのハードウェア（操作部）であると共に、オペレータが複合機１から出力を得るためのハードウェア（表示部）である。
【００１６】
図２は、本発明の実施の形態におけるオペレーションパネルの構成例を示す図である。同図において、オペレーションパネル２０２は、タッチパネル３１１、テンキー３１２、スタートボタン３１３、リセットボタン３１４、初期設定ボタン３１５等を備える。
【００１７】
タッチパネル３１１は、タッチ操作で入力を行うためのハードウェア（タッチ操作部）であると共に、画面表示で出力を得るためのハードウェア（画面表示部）である。テンキー３１２は、キー（ボタン）操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００１８】
図３は、本発明の実施の形態における画像形成装置の機能構成例を示す図である。同図において、複合機１は、オペパネ制御部１１、機能制御部１２、機能実行部１３、操作画面データ１４、及び機能コードテーブル１５等より構成される。オペパネ制御部１１、機能制御部１２、及び機能実行部１３等は、複合機１にインストールされたプログラムがＣＰＵ２１１に実行させる処理によって実現されるソフトウェアである。
【００１９】
オペパネ制御部１１は、表示制御部１１１及び操作ガイド部１１２等を有し、オペレーションパネル２０２における入出力制御等を行う。例えば、オペパネ制御部１１は、タッチパネル３１１に表示されている操作画面において押下された表示部品（ボタン等）を検知すると、機能コードテーブル１５に基づいて当該表示部品に対応する機能を判断し、当該機能の実行を機能制御部１２に要求する。
【００２０】
図４は、機能コードテーブルの構成例を示す図である。同図において、機能コードテーブル１５は、機能ごとに機能コードが登録されている。機能コードは、各機能を一意に識別するための識別情報である。
【００２１】
すなわち、オペパネ制御部１１は、押下された表示部品に割り当てられている機能コードを機能コードテーブル１５に当てはめることにより、対応する機能を判断するなお、機能コードテーブル１５は、例えば、ＨＤＤ２３３に記録されている。
【００２２】
オペパネ制御部１１における表示制御部１１１は、操作画面データ１４に基づいてタッチパネル３１１に操作画面を表示させる。操作画面データ１４は、操作画面の表示情報が格納されたデータであり、例えば、操作画面に表示させるボタン等の表示部品や各表示部品の表示態様（形状、位置、及び色等）等が定義されている。図中では、操作画面データ１４として標準画面データ１４１とカスタマイズ画面データ１４２が示されている。標準画面データ１４１は、標準の（カスタマイズ前の）操作画面（標準画面）に関する操作画面データ１４である。カスタマイズ画面データ１４２は、カスタマイズされた操作画面（カスタマイズ画面）に関する操作画面データ１４である。すなわち、本実施の形態においてタッチパネル３１１に表示される操作画面はカスタマイズが可能とされている。なお、操作画面データ１４は、例えば、ＨＤＤ２３３に記録されている。
【００２３】
操作ガイド部１１２は、機能コードの入力に応じて対応する機能を利用対象として設定させるための表示部品を視覚的に識別可能としたりする。これにより、ユーザは、操作すべき表示部品を容易に認識することができる。本実施の形態において、各機能の機能コードは、操作画面の操作方法を説明する文書（例えば、複合機１の操作マニュアル）に記載されている。
【００２４】
図５は、本発明の実施の形態における操作マニュアルの記載例を示す図である。同図は、機能Ａの使い方を説明するページの例を示す。当該ページにおいて記述５０１（Ｃｏｄｅ：００１）が、機能Ａの機能コードの記載に該当する。このように、操作マニュアルには、それぞれの機能の説明のページにおいて当該機能に対する機能コードが記載されている。
【００２５】
機能制御部１２は、オペパネ制御部１１より実行を要求された機能の実行を制御する。より詳しくは、機能制御部１２は、実行が要求された機能に対応する機能実行部１３を呼び出し、その処理結果をオペパネ制御部１１に通知する。オペパネ制御部１１は、機能制御部１２より通知される処理結果をタッチパネル３１１に表示させる。
【００２６】
機能実行部１３は、機能を実現するための処理を実行する。図中では、印刷機能に係る処理を実行する印刷機能部１３１と、画像処理機能に係る処理を実行する画像処理機能部１３２とが例示されている。
【００２７】
以下、複合機１による処理手順について説明する。図６は、操作画面表示時の処理手順を説明するためのフローチャートである。図６の処理は、例えば、複合機１の起動時等において実行される。
【００２８】
ステップＳ１０１において、表示制御部１１１は、表示対象が標準画面かカスタマイズ画面かを判定する。いずれを表示対象とするかは、例えば初期設定画面において設定される。この場合、初期設定画面において設定された情報に基づいて当該判断が行われる。また、カスタマイズ画面データ１４２の存否に基づいて判断してもよい。この場合、カスタマイズ画面データ１４２が存在しない場合は標準画面を表示対象とし、カスタマイズ画面データ１４２が存在する場合はカスタマイズ画面を表示対象とする。
【００２９】
標準画面を表示させる場合（Ｓ１０１でＮＯ）、表示制御部１１１は、標準画面データ１４１に基づいて操作画面（標準画面）をタッチパネル３１１に表示させる（Ｓ１０２）。
【００３０】
図７は、標準画面データの構成例を示す図である。同図において、標準画面データ１４１には、操作画面に表示させる表示部品ごとに表示部品情報が登録されている。表示部品情報は、表示部品の表示情報である。便宜上、図中では表示部品（ボタン）に表示させる文字列のみが示されているが、表示位置や表示色等、他の表示情報についても表示部品情報に含まれる。標準画面データ１４１には、また、表示部品ごとに機能コードが登録されている。すなわち、本実施の形態では、標準画面データ１４１において標準画面における各表示部品と各機能との関連付けが管理される。
【００３１】
一方、カスタマイズ画面を表示させる場合（Ｓ１０１でＹＥＳ）、表示制御部１１１は、カスタマイズ画面データ１４２に基づいて操作画面（カスタマイズ画面）をタッチパネル３１１に表示させる（Ｓ１０３）。
【００３２】
図８は、カスタマイズ画面データの構成例を示す図である。同図に示されるように、カスタマイズ画面データ１４２の構造は標準画面データ１４１と同様である。すなわち、カスタマイズ画面データ１４２には、操作画面に表示させる表示部品ごとに表示部品情報が登録されている。カスタマイズ画面データ１４２には、また、表示部品ごとに機能コードが登録されている。すなわち、本実施の形態では、カスタマイズ画面データ１４２においてカスタマイズ画面における各表示部品と各機能との関連付けが管理される。
【００３３】
図７と図８とを比較すると、同一の機能コードに対して異なる表示部品情報が関連付けられている。例えば、機能コード００１について見ると、標準画面データ１４１では「ソート」が関連付けられており、カスタマイズ画面データ１４２では「並べる」が関連付けられている。これは、標準画面における「ソート」ボタンとカスタマイズ画面における「並べる」ボタンとは同一の機能を設定するものであることを意味する。
【００３４】
図６の処理の結果、例えば、次のような操作画面がタッチパネル３１１に表示される。図９は、操作画面の表示例を示す図である。
【００３５】
同図において、５１０は標準画面を示し、５２０はカスタマイズ画面を示す。このように、操作画面データ１４が切り替えられることにより、操作画面の表示内容が変化する。なお、図９は、便宜上、図７及び図８の例に基づく表示例ではない。
【００３６】
続いて、操作画面（標準画面５１０又はカスタマイズ画面５２０）が表示されている状態において、ユーザによって操作が行われる際の処理手順について説明する。図１０は、操作画面操作時の処理手順を説明するためのフローチャートである。
【００３７】
ユーザは、マニュアルにおいて所望の機能に関する説明が記載されたページを開き、当該ページに記載されている機能コードをオペレーションパネル２０２を介して入力する（Ｓ２０１）。当該入力は、所定のキー操作により機能コード入力モードとした上でテンキー３１２によって行わせればよい。
【００３８】
続いて、操作ガイド部１１２は、機能コードテーブル１５を参照して、入力された機能コードに対応する機能を識別する（Ｓ２０２）。続いて、操作ガイド部１１２は、入力された機能コードに対応する機能の利用の可否を判断する（Ｓ２０３）。当該判断は、例えば、当該機能を現在表示されている操作画面から利用可能か否か（すなわち、現在表示されている操作画面に対応する操作画面データ１４において、入力された機能コードに関連付けられている表示部品情報が登録されているか否か）等に基づいて行われる。  入力された機能コードに対応する機能は利用不可能と判断した場合（Ｓ２０３でＮＯ）、操作ガイド部１１２は、当該機能が利用できない旨のメッセージをタッチパネル３１１に表示させる（Ｓ２０４）。
【００３９】
また、ステップＳ２０３の前又は後に、カレントユーザが当該機能に対して利用権限を有するか否かに基づく判断を含めてもよい。この場合、利用権限の無い機能に対する機能コードが入力されたときは、当該機能が利用できない旨のメッセージを表示するようにしてもよい。
【００４０】
図１１は、入力された機能コードが利用できない場合の操作画面の表示例を示す図である。同図ではカスタマイズ画面５２０全体がグレーアウトされ、カスタマイズ画面５２０に重畳させて、指定された機能は利用できないことを示すメッセージ５２１が表示された例が示されている。
【００４１】
一方、入力された機能コードに対応する機能が利用可能と判断した場合（Ｓ２０３でＹＥＳ）、操作ガイド部１１２は、当該機能を利用対象として設定するか、或いは当該機能に対応する表示部品を識別可能とするだけにするかを判断する（Ｓ２０５）。例えば、当該機能がソート機能であるとすると、前者の場合はソートが設定されたことになり、後者の場合は、ソート機能に対応するボタンの表示態様を変化等させるのみでソート機能は設定されたことにはならない。したがって、後者の場合、当該機能を設定するにはその後にユーザによる表示部品（ボタン）の操作（押下）が必要とされる。なお、機能コードの入力に応じて、当該機能の設定まで行ってしまうか否かは、初期設定画面において設定させればよい。また、機能コード入力時に、機能コードに続けて「♯」ボタンが押されたら機能の設定を行い、「＊」ボタンが押されたら機能の設定は行わないようにしてもよい。
【００４２】
機能を設定すると判断した場合（Ｓ２０５でＹＥＳ）、操作ガイド部１１２は、入力された機能コードに対応する機能を設定し、当該機能に対応する表示部品を選択状態とする（例えば、反転表示させる）（Ｓ２０６）。なお、当該機能に対応する表示部品は、操作画面データ１４０に基づいて判定される。
【００４３】
一方、機能を設定しないと判断した場合（Ｓ２０５でＮＯ）、操作ガイド部１１２は、現在表示されている操作画面は、カスタマイズ画面５２０であるか否かを判定する（Ｓ２０７）。カスタマイズ画面５２０である場合（Ｓ２０７でＹＥＳ）、操作ガイド部１１２は、カスタマイズされている表示部品（カスタマイズボタン）を標準画面５１０における表示態様（標準ボタン）に一時的に置き換えるか否かを判断する（Ｓ２０８）。機能コード入力時に、カスタマイズボタンを標準ボタンに置き換えるか否かは、初期設定画面において設定可能とすればよい。
【００４４】
表示部品の置き換えを行わない場合（Ｓ２０８でＮＯ）、操作ガイド部１１２は、入力された機能コードに対応する表示部品情報をカスタマイズ画面データ１４２より取得し、当該表示部品情報に基づいて、当該表示部品が視覚的に識別可能とする（Ｓ２０９）。具体的には、当該表示部品の表示態様を変化させたり、当該表示部品に対して所定の図形を示す画像等を重畳させたりする。
【００４５】
図１２は、入力された機能コードに対応する表示部品を識別可能とした操作画面の表示例を示す図である。同図では、ボタン５２１に対して星マークＭ１の画像が重畳して表示された例が示されている。星マークＭ１により、ユーザは、ボタン５２１が入力した機能コードに対応する表示部品（すなわち、操作対象となる表示部品）であると認識することができる。
【００４６】
一方、表示部品の置き換えを行う場合（Ｓ２０８でＹＥＳ）、操作ガイド部１１２は、カスタマイズ画面５２０において機能コードに対応する表示部品の表示態様を、標準画面５１０における表示態様に置き換える（Ｓ２１０）。より詳しくは、操作ガイド部１１２は、入力された機能コードに対応する表示部品情報を標準画面データ１４１より取得し、当該表示部品情報に基づいて、機能コードに対応する表示部品を再表示させる。続いて、操作ガイド部１１２は、置き換えられた表示部品を視覚的に識別可能とする（Ｓ２１１）。
【００４７】
図１３は、機能コードに対応する表示部品が標準画面の表示態様に置き換えられたカスタマイズ画面の表示例を示す図である。図１３中、図１２と同一部分には同一符号を付している。同図では、ボタン５２１の表示態様が、標準画面５１０において同一の機能コードに関連付けられているボタン５１１（図９参照）の表示態様に置き換えられている。これにより、ユーザは、標準画面５１０に沿って作成してあるマニュアルに基づいて、より容易に操作を理解することができる。
【００４８】
なお、現在表示されている操作画面が標準画面５１０である場合（Ｓ２０７でＮＯ）、操作ガイド部１１２は、入力された機能コードに対応する表示部品情報を標準画面データ１４１より取得し、当該表示部品情報に基づいて、当該表示部品が視覚的に識別可能とする（Ｓ２１１）。
【００４９】
ところで、一つの機能に対して複数の表示部品による操作が必要な場合もある。斯かる場合は、操作画面データ１４において、当該複数の表示部品に対し、同一の機能コードを関連付けておけばよい。この場合、操作ガイド部１１２は、一回の機能コードの入力に応じて、複数の表示部品を識別可能とすればよい。また、複数の表示部品間で操作順序が決められている場合、操作順序を識別するための情報を操作画面データ１４に含めておけばよい。
【００５０】
図１４は、操作順序情報が付加された操作画面データの例を示す図である。同図ではカスタマイズ画面データ１４２に対して操作順序が付加された例が示されている。同図によれば、標準印刷ボタンと機能１ボタンは同じ機能コード００５に対応する表示ボタンであるとされている。また、操作順序は、標準印刷ボタンが１番目で機能１ボタンが２番目であるとされている。したがって、図１４のカスタマイズ画面データ１４２に基づけば、ステップＳ２０９において、操作ガイド部１１２は、カスタマイズ画面５２０に対して機能コードに対応する表示部品を識別可能とするだけでなく、その操作順序をも表示させることができる。
【００５１】
図１５は、操作順序が示された操作画面の表示例を示す図である。同図におけるカスタマイズ画面５２０には、図１４のカスタマいす画面データ１１２に基づいて、標準印刷ボタン５２３と機能１ボタン５２４とに手順を示すマーク（画像）Ｍ２又はＭ３が重畳されている。したがって、ユーザは、標準画面５１０に沿ったマニュアルに基づいて、カスタマイズ画面５２０上における操作順序をも認識することができる。
【００５２】
上述したように、本実施の形態における複合機１によれば、機能の識別情報（機能コード）を入力することにより、当該機能に対応する表示部品が識別可能とされる。したがって、当該機能コードをマニュアルに記述しておくことにより、カスタマイズが行われ、機能が関連付けられる表示部品が変更された場合であっても、機能コードを入力することで対応する表示部品を容易に識別することができる。よって、標準画面に沿って作成されているマニュアルをそのまま活用することができる。
【００５３】
なお、機能の識別情報は、機能コードに限られない。例えば、機能名を用いてもよい。また、電子マニュアルであれば、機能名のリンクを付加し、当該リンクに関連付けられているＵＲＬ（Uniform Resource Locator）を機能の識別情報として用いても良い。この場合、電子マニュアル上で当該リンクを選択することにより、図１０の処理が実行される。
【００５４】
以上、本発明の実施例について詳述したが、本発明は斯かる特定の実施形態に限定されるものではなく、特許請求の範囲に記載された本発明の要旨の範囲内において、種々の変形・変更が可能である。
【図面の簡単な説明】
【００５５】
【図１】本発明の実施の形態における画像形成装置のハードウェア構成の一例を示す図である。
【図２】本発明の実施の形態におけるオペレーションパネルの構成例を示す図である。
【図３】本発明の実施の形態における画像形成装置の機能構成例を示す図である。
【図４】機能コードテーブルの構成例を示す図である。
【図５】本発明の実施の形態における操作マニュアルの記載例を示す図である。
【図６】操作画面表示時の処理手順を説明するためのフローチャートである。
【図７】標準画面データの構成例を示す図である。
【図８】カスタマイズ画面データの構成例を示す図である。
【図９】操作画面の表示例を示す図である。
【図１０】操作画面操作時の処理手順を説明するためのフローチャートである。
【図１１】入力された機能コードが利用できない場合の操作画面の表示例を示す図である。
【図１２】入力された機能コードに対応する表示部品を識別可能とした操作画面の表示例を示す図である。
【図１３】機能コードに対応する表示部品が標準画面の表示態様に置き換えられたカスタマイズ画面の表示例を示す図である。
【図１４】操作順序情報が付加された操作画面データの例を示す図である。
【図１５】操作順序が示された操作画面の表示例を示す図である。
【符号の説明】
【００５６】
１          複合機
１１        オペパネ制御部
１２        機能制御部
１３        機能実行部
１４        操作画面データ
１５        機能コードテーブル
１１１      表示制御部
１１２      操作ガイド部
１３１      刷機能部
１３２      画像処理機能部
１４１      標準画面データ
１４２      カスタマイズ画面データ
２０１      コントローラ
２０２      オペレーションパネル
２０３      ファクシミリコントロールユニット
２０４      撮像部
２０５      印刷部
２１１      ＣＰＵ
２１２      ＡＳＩＣ
２２１      ＮＢ
２２２      ＳＢ
２３１      ＭＥＭ−Ｐ
２３２      ＭＥＭ−Ｃ
２３３      ＨＤＤ
２３４      メモリカードスロット
２３５      メモリカード
２４１      ＮＩＣ
２４２      ＵＳＢデバイス
２４３      ＩＥＥＥ１３９４デバイス
２４４      セントロニクスデバイス
３１１      タッチパネル
３１２      テンキー
３１３      スタートボタン
３１４      リセットボタン
３１５      初期設定ボタン
【図１】
0004969418.tif 000002
【図２】
0004969418.tif 000003
【図３】
0004969418.tif 000004
【図４】
0004969418.tif 000005
【図５】
0004969418.tif 000006
【図６】
0004969418.tif 000007
【図７】
0004969418.tif 000008
【図８】
0004969418.tif 000009
【図９】
0004969418.tif 000010
【図１０】
0004969418.tif 000011
【図１１】
0004969418.tif 000012
【図１２】
0004969418.tif 000013
【図１３】
0004969418.tif 000014
【図１４】
0004969418.tif 000015
【図１５】
0004969418.tif 000016